【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
人間の又は動物の骨（１８）に対して医療用鋸テンプレート（１４）を整列させるための整列機器（１２）を含み、
前記整列機器（１２）が、骨（１８）内に固定可能な緊締要素（１６）用の少なくとも１つの緊締要素受け（２８）と、鋸テンプレート（１４）に連結可能である又は連結される第１連結部材（２０）と、前記緊締要素受け（２８）と前記第１連結部材（２０）との間の距離（４０）を変えるための距離変更装置（３８）と、前記緊締要素受け（２８）と前記第１連結部材（２０）との間の角度（４４）を変えるための角度変更装置（４２）とを含む、
医療用鋸テンプレートシステム（１０）であって
前記距離変更装置（３８）が、距離設定部材回転軸（４６）の周りで回転可能である距離設定部材（４８）を含む、及び／又は、前記角度変更装置（４２）が、角度設定部材回転軸（５２）の周りで回転可能である角度設定部材（５４）を含む、医療用鋸テンプレートシステム（１０）において、
前記距離設定部材回転軸（４６）が、前記角度設定部材回転軸（５２）を規定すること、を特徴とする医療用鋸テンプレートシステム。
【請求項２】
請求項１に記載の医療用鋸テンプレートシステムであって、
ａ）前記距離変更装置（３８）と前記角度変更装置（４２）とが、互いとは無関係に作動可能であること、
及び／又は
ｂ）前記距離設定部材（４８）が、設定ホイール（５０）の形態に構成されること、
及び／又は
ｃ）前記角度設定部材（５４）が、設定ホイール（５６）の形態に構成されること、
及び／又は
ｄ）前記整列機器（１２）が、前記距離設定部材（４８）及び前記角度設定部材（５４）が回転可能に装着又は保持される基体（５８）を含むこと、
及び／又は
ｅ）距離設定部材支承要素（６０）が、前記距離設定部材（４８）に関連付けられ、角度設定部材支承要素（６８）が、前記角度設定部材（５４）に関連付けられること、
又は
距離設定部材支承要素（６０）が、前記距離設定部材（４８）に関連付けられ、角度設定部材支承要素（６８）が、前記角度設定部材（５４）に関連付けられると共に、
ｅ１）前記距離設定部材支承要素（６８）及び／又は前記角度設定部材支承要素（６８）が、支承ピン又はねじ（７０）の形態に構成されること、
及び／又は
ｅ２）前記距離設定部材支承要素（６０）が、前記基体（５８）上に又は前記距離設定部材（４８）上に配置又は形成されること、
及び／又は
ｅ３）前記角度設定部材支承要素（６８）が、前記基体（５８）上に又は前記角度設定部材（５４）上に配置又は形成されること、
及び／又は
ｆ）前記距離設定部材（４８）及び／又は前記角度設定部材（５４）が、半径方向において前記距離設定部材回転軸（４６）から離れる方を向く少なくとも１つの凹部（７６）を、及び／又は半径方向において前記距離設定部材回転軸（４６）から離れる方を向く少なくとも１つの突起（７８）を有すること、
を特徴とする医療用鋸テンプレートシステム。
【請求項３】
請求項１又は２に記載の医療用鋸テンプレートシステムであって、
ａ）前記整列機器（１２）が、前記距離設定部材（４８）及び前記角度設定部材（５４）が回転可能に装着又は保持される基体（５８）を含み、
前記距離変更装置（３８）が、前記基体（５８）上に変位可能に装着されると共に摺動要素長手方向軸（８２）を規定する摺動要素（８０）を含み、
前記距離設定部材を前記距離設定部材回転軸の周りで回転させることにより前記摺動要素（８０）が前記摺動要素長手方向軸（８２）の方向に変位可能であるような仕方で、該摺動要素（８０）が前記距離設定部材（４８）と直接的に又は間接的に協働するように配置又は形成されること、
又は
ｂ）前記整列機器（１２）が、前記距離設定部材（４８）及び前記角度設定部材（５４）が回転可能に装着又は保持される基体（５８）を含み、
前記距離変更装置（３８）が、前記基体（５８）上に変位可能に装着されると共に摺動要素長手方向軸（８２）を規定する摺動要素（８０）を含み、
前記距離設定部材を前記距離設定部材回転軸の周りで回転させることにより前記摺動要素（８０）が前記摺動要素長手方向軸（８２）の方向に変位可能であるような仕方で、該摺動要素（８０）が前記距離設定部材（４８）と直接的に又は間接的に協働するように配置又は形成され、
前記摺動要素（８０）が、前記摺動要素長手方向軸（８２）に関して回転不能であるように前記基体（５８）上を案内されること、
を特徴とする医療用鋸テンプレートシステム。
【請求項４】
請求項３に記載の医療用鋸テンプレートシステムであって、前記基体（５８）が、前記摺動要素（８０）が移動可能に案内される摺動要素ガイド（８４）を含むこと、を特徴とする医療用鋸テンプレートシステム。
【請求項５】
請求項４に記載の医療用鋸テンプレートシステムであって、
ａ）前記摺動要素ガイド（８４）が、凹部又は穿孔（８６）の形態に構成されること、
及び／又は
ｂ）前記摺動要素ガイド（８４）が、非円形断面を有すること、
及び／又は
ｃ）前記距離変更装置（３８）が、前記距離設定部材回転軸（４６）に対して偏心的に配置される摺動キャッチ（１０８）を含み、かつ
前記摺動キャッチが、前記距離設定部材（４８）上に配置又は形成されると共に、前記摺動要素（８０）と移動可能に係合しているか、或いは、前記摺動キャッチが、前記摺動要素上に配置又は形成されると共に、前記距離設定部材と移動可能に係合していること、
又は
前記距離変更装置（３８）が、前記距離設定部材回転軸（４６）に対して偏心的に配置される摺動キャッチ（１０８）を含み、かつ
前記摺動キャッチが、前記距離設定部材（４８）上に配置又は形成されると共に、前記摺動要素（８０）と移動可能に係合しているか、或いは、前記摺動キャッチが、前記摺動要素上に配置又は形成されると共に、前記距離設定部材と移動可能に係合しており、かつ
前記摺動キャッチ（１０８）が、ピン（１１０）の形態に構成され、前記ピン（１１０）のピン長手方向軸が、前記距離設定部材回転軸（４６）と平行に又は略平行に走ること、
又は
前記距離変更装置（３８）が、前記距離設定部材回転軸（４６）に対して偏心的に配置される摺動キャッチ（１０８）を含み、かつ
前記摺動キャッチが、前記距離設定部材（４８）上に配置又は形成されると共に、前記摺動要素（８０）と移動可能に係合しているか、或いは、前記摺動キャッチが、前記摺動要素上に配置又は形成されると共に、前記距離設定部材と移動可能に係合しており、かつ
前記摺動キャッチ（１０８）が、前記距離設定部材（４８）から前記摺動要素（８０）に駆動力を伝達するために、対応するガイド凹部（１１２）内へ係合すること、
又は
前記距離変更装置（３８）が、前記距離設定部材回転軸（４６）に対して偏心的に配置される摺動キャッチ（１０８）を含み、かつ
前記摺動キャッチが、前記距離設定部材（４８）上に配置又は形成されると共に、前記摺動要素（８０）と移動可能に係合しているか、或いは、前記摺動キャッチが、前記摺動要素上に配置又は形成されると共に、前記距離設定部材と移動可能に係合しており、かつ
前記摺動キャッチ（１０８）が、ピン（１１０）の形態に構成され、前記ピン（１１０）のピン長手方向軸が、前記距離設定部材回転軸（４６）と平行に又は略平行に走り、かつ
前記摺動キャッチ（１０８）が、前記距離設定部材（４８）から前記摺動要素（８０）に駆動力を伝達するために、対応するガイド凹部（１１２）内へ係合すること、
を特徴とする医療用鋸テンプレートシステム。
【請求項６】
請求項１〜５のいずれか１項に記載の医療用鋸テンプレートシステムであって、
前記整列機器（１２）が、前記距離設定部材（４８）及び前記角度設定部材（５４）が回転可能に装着又は保持される基体（５８）を含み、
前記角度変更装置（４２）が、枢動軸（１１８）の周りで枢動可能であるように前記基体（５８）上に装着される枢動要素（１２０）を含み、
前記角度設定部材（５４）を前記角度設定部材回転軸（５２）の周りで回転させることにより前記枢動要素（１２０）が前記枢動軸（１１８）の周りで枢動可能であるような仕方で、該枢動要素（１２０）が前記角度設定部材（５４）と直接的に又は間接的に協働するように配置又は形成されること、
を特徴とする医療用鋸テンプレートシステム。
【請求項７】
請求項６に記載の医療用鋸テンプレートシステムであって、
ａ）前記枢動軸（１１８）が、前記角度設定部材回転軸（５２）と平行に走ること、
及び／又は
ｂ）前記第１連結部材（２０）が、前記枢動要素（１２０）上に、特に一体部品にして配置又は形成されること、
及び／又は
ｃ）前記第１連結部材（２０）が、連結部材長手方向軸（３６）を規定し、前記連結部材長手方向軸（３６）が、前記摺動要素長手方向軸（８２）に対して交差方向に走ること、
又は
前記第１連結部材（２０）が、連結部材長手方向軸（３６）を規定し、前記連結部材長手方向軸（３６）が、前記摺動要素長手方向軸（８２）に対して交差方向に走り、前記連結部材長手方向軸（３６）が、前記枢動軸（１１８）に対して交差方向に、特に垂直に走ること、
及び／又は
ｄ）前記基体（５８）が、２つの支承ジョー（１２２）を含むと共に、前記枢動要素（１２０）が、前記支承ジョー（１２２）上で保持される支承ピン（１２４）上で前記支承ジョー（１２２）間に装着されるか、或いは、前記支承ジョーが、前記枢動要素上で突出する２つの支承突起上に装着され、かつ、
特に、前記支承ピン（１２４）又は前記支承突起が、前記枢動軸（１１８）を規定すること、
を特徴とする医療用鋸テンプレートシステム。
【請求項８】
請求項６又は７に記載の医療用鋸テンプレートシステムであって、
ａ）前記角度変更装置（４２）が、前記角度設定部材回転軸（５２）に対して偏心的に配置される枢動キャッチ（１２６）を含み、かつ
前記枢動キャッチ（１２６）が、前記角度設定部材（５４）上に配置又は形成されると共に、前記枢動要素（１２０）と移動可能に係合しているか、或いは、前記枢動キャッチが、前記枢動要素上に配置又は形成されると共に、前記角度設定部材と移動可能に係合していること、
又は
ｂ）前記角度変更装置（４２）が、前記角度設定部材回転軸（５２）に対して偏心的に配置される枢動キャッチ（１２６）を含み、かつ
前記枢動キャッチ（１２６）が、前記角度設定部材（５４）上に配置又は形成されると共に、前記枢動要素（１２０）と移動可能に係合しているか、或いは、前記枢動キャッチが、前記枢動要素上に配置又は形成されると共に、前記角度設定部材と移動可能に係合しており、かつ
ｂ１）前記枢動キャッチ（１２６）が、ピン（１２８）の形態に構成され、前記ピン（１２８）のピン長手方向軸が、前記角度設定部材回転軸（５２）と平行に又は略平行に走ること、
及び／又は
ｂ２）前記枢動キャッチ（１２６）が、前記角度設定部材（５４）から前記枢動要素（１２０）に駆動力を伝達するために、対応する枢動キャッチガイド凹部（１３０）内へ係合すること、
及び／又は
ｂ３）前記枢動軸（１１８）が、前記距離設定部材回転軸（４６）と平行に又は略平行に走ること、
及び／又は
ｂ４）前記枢動軸（１１８）の前記角度設定部材回転軸（５２）からの距離が、前記枢動キャッチ（１０８）の前記角度設定部材回転軸（５２）からの距離よりも大きいこと、
及び／又は
ｂ５）前記摺動キャッチ（１０８）の前記距離設定部材回転軸（４６）からの距離が、前記枢動キャッチ（１０８）の前記距離設定部材回転軸（４６）からの距離よりも大きいこと、
及び／又は
ｂ６）前記枢動軸（１１８）の前記角度設定部材回転軸（５２）からの距離が、前記枢動軸（１１８）の前記枢動キャッチ（１０８）からの距離よりも大きいこと、
を特徴とする医療用鋸テンプレートシステム。
【請求項９】
請求項１〜８のいずれか１項に記載の医療用鋸テンプレートシステムであって、
ａ）前記距離変更装置（３８）が、前記緊締要素受け（２８）と前記第１連結部材（２０）との間の前記距離（４０）を不連続の距離刻みで変えるように構成されること、
又は
前記距離変更装置（３８）が、前記緊締要素受け（２８）と前記第１連結部材（２０）との間の前記距離（４０）を不連続の距離刻みで変えるように構成され、前記不連続の距離刻みが、同じ寸法である又はほぼ同じ寸法であること、
及び／又は
ｂ）前記距離変更装置（３８）が、前記緊締要素受け（２８）と前記第１連結部材（２０）との間の不連続の距離（４０）を設定するための距離刻み設定装置（１３２）を含むこと、
又は
前記距離変更装置（３８）が、前記緊締要素受け（２８）と前記第１連結部材（２０）との間の不連続の距離（４０）を設定するための距離刻み設定装置（１３２）を含み、前記距離刻み設定装置（１３２）が、相互に協働する第１距離掛止部材（１３６）と第２距離掛止部材（１３８）とを含む距離掛止機構（１３４）の形態に構成され、前記第１及び第２距離掛止部材（１３６、１３８）が、前記緊締要素受けと前記第１連結部材（２０）との間の不連続の距離（４０）にて係合していること、
又は
前記距離変更装置（３８）が、前記緊締要素受け（２８）と前記第１連結部材（２０）との間の不連続の距離（４０）を設定するための距離刻み設定装置（１３２）を含み、前記距離刻み設定装置（１３２）が、相互に協働する第１距離掛止部材（１３６）と第２距離掛止部材（１３８）とを含む距離掛止機構（１３４）の形態に構成され、前記第１及び第２距離掛止部材（１３６、１３８）が、前記緊締要素受けと前記第１連結部材（２０）との間の不連続の距離（４０）にて係合しており、かつ
ｂ１）前記第１及び第２距離掛止部材（１３６、１３８）が、一方で前記距離設定部材（４８）上に、他方で前記基体（５８）上に配置又は形成されること、
及び／又は
ｂ２）複数の第１距離掛止部材（１３６）が、距離歯部（１４０）を形成する歯状物（１４２）の形態に構成されること、
又は
複数の第１距離掛止部材（１３６）が、距離歯部（１４０）を形成する歯状物（１４２）の形態に構成され、前記距離歯部（１４０）が、前記距離設定部材回転軸（４６）を同心円状に包囲するように配置又は形成されること、
及び／又は
ｂ３）第２距離掛止部材（１３８）が、基本位置から付勢要素（１４６）に抗して偏向可能である距離掛止体（１４４）の形態に構成されること、
又は
第２距離掛止部材（１３８）が、基本位置から付勢要素（１４６）に抗して偏向可能である距離掛止体（１４４）の形態に構成され、前記付勢要素（１４６）の作用方向が、前記距離設定部材回転軸（４６）と平行に又は略平行に走ること、
及び／又は
ｂ４）前記第１距離掛止部材（１３６）が、前記基体（５８）の方を向いた前記距離設定部材（４８）から突出するように配置又は形成されること、
及び／又は
ｂ５）前記第１距離掛止部材（１３６）の前記距離設定部材回転軸（４６）からの距離が、前記摺動キャッチ（１０８）の前記距離設定部材回転軸（４６）からの距離よりも大きいこと、
を特徴とする医療用鋸テンプレートシステム。
【請求項１０】
請求項１〜９のいずれか１項に記載の医療用鋸テンプレートシステムであって、
ａ）前記角度変更装置（４２）が、前記緊締要素受け（２８）と前記第１連結部材（２０）との間の不連続の角度（４４）を設定するための角度刻み設定装置（１５４）を含むこと、
又は
ｂ）前記角度変更装置（４２）が、前記緊締要素受け（２８）と前記第１連結部材（２０）との間の不連続の角度（４４）を設定するための角度刻み設定装置（１５４）を含み、前記角度刻み設定装置（１５４）が、相互に協働する第１角度掛止部材（１５８）と第２角度掛止部材（１６０）とを含む角度掛止機構（１５６）の形態に構成され、前記第１及び第２角度掛止部材（１５８、１６０）が、前記緊締要素受け（２８）と前記第１連結部材（２０）との間の不連続の角度（４４）にて係合していること、
を特徴とする医療用鋸テンプレートシステム。
【請求項１１】
請求項１〜１０のいずれか１項に記載の医療用鋸テンプレートシステムであって、
前記角度変更装置（４２）が、前記緊締要素受け（２８）と前記第１連結部材（２０）との間の不連続の角度（４４）を設定するための角度刻み設定装置（１５４）を含み、前記角度刻み設定装置（１５４）が、相互に協働する第１角度掛止部材（１５８）と第２角度掛止部材（１６０）とを含む角度掛止機構（１５６）の形態に構成され、前記第１及び第２角度掛止部材（１５８、１６０）が、前記緊締要素受け（２８）と前記第１連結部材（２０）との間の不連続の角度（４４）にて係合しており、かつ
ａ）前記第１及び第２角度掛止部材（１５８、１６０）が、一方で前記角度設定部材（５４）上に、他方で前記基体（５８）上に配置又は形成されること、
及び／又は
ｂ）複数の第１角度掛止部材（１５８）が、角度歯部（１６２）を形成する歯状物（１６４）の形態に構成されること、
又は
複数の第１角度掛止部材（１５８）が、角度歯部（１６２）を形成する歯状物（１６４）の形態に構成され、前記角度歯部（１６２）が、前記角度設定部材回転軸（５２）を同心円状に包囲するように配置又は形成されること、
及び／又は
ｃ）第２角度掛止部材（１６０）が、基本位置から付勢要素（１４６）に抗して偏向可能である角度掛止体（１６６）の形態に構成されること、
又は
第２角度掛止部材（１６０）が、基本位置から付勢要素（１４６）に抗して偏向可能である角度掛止体（１６６）の形態に構成され、共通の付勢要素（１４６）が、前記第２距離掛止部材（１３８）及び前記第２角度掛止部材（１６０）に関連付けられること、
及び／又は
ｄ）第２角度掛止部材（１６０）が、基本位置から付勢要素（１４６）に抗して偏向可能である角度掛止体（１６６）の形態に構成され、前記付勢要素（１４６）の作用方向が、前記角度設定部材回転軸（５２）と平行に又は略平行に走ること、
及び／又は
ｅ）前記第１距離掛止部材（１５８）が、前記基体（５８）の方を向いた前記角度設定部材（５４）から突出するように配置又は形成されること、
及び／又は
ｆ）前記第１角度掛止部材（１５８）の前記角度設定部材回転軸（５２）からの距離が、前記枢動キャッチ（１２６）の前記角度設定部材回転軸（５２）からの距離よりも大きいこと、
を特徴とする医療用鋸テンプレートシステム。
【請求項１２】
請求項１〜１１のいずれか１項に記載の医療用鋸テンプレートシステムであって、
ａ）前記緊締要素受け（２８）が、前記摺動要素（８０）上で、特に断面において回転対称である穿孔の形態に配置又は形成されること、
及び／又は
ｂ）前記医療用鋸テンプレートシステムが、骨（１８）に係留させるための少なくとも１つの緊締要素（１６）を含むこと、
又は
前記医療用鋸テンプレートシステムが、骨（１８）に係留させるための少なくとも１つの緊締要素（１６）を含み、前記少なくとも１つの緊締要素（１６）が、骨ピンの形態に又は骨ねじの形態に構成されること、
を特徴とする医療用鋸テンプレートシステム。
【請求項１３】
請求項１〜１２のいずれか１項に記載の医療用鋸テンプレートシステムであって、特に鋸刃用のガイド溝（１７２）の形態の少なくとも１つのガイド穿孔（１７０）を備えた鋸テンプレート（１４）を含むこと、を特徴とする医療用鋸テンプレートシステム。
【請求項１４】
請求項１３に記載の医療用鋸テンプレートシステムであって、
ａ）前記鋸テンプレート（１４）が、少なくとも１つの緊締要素を収容するための少なくとも１つの鋸テンプレート緊締要素受け（１７４）を含むこと、
及び／又は
ｂ）前記鋸テンプレート（１４）が、前記第１連結部材（２０）と係合させるための第２連結部材（２２）を含むこと、
及び／又は
ｃ）前記鋸テンプレート（１４）が、前記第１連結部材（２０）に解放不能に接続される、又は前記第１連結部材（２０）との一体部品として形成されること、
及び／又は
ｄ）前記鋸テンプレート（１４）が、医療用参照ユニット（１８０）の第２連結要素（１７８）と係合させるための少なくとも１つの第１連結要素（１７６）を含むこと、
を特徴とする医療用鋸テンプレートシステム。
【請求項１５】
請求項１〜１４のいずれか１項に記載の医療用鋸テンプレートシステムであって、
ａ）前記医療用鋸テンプレートシステムが、空間における位置及び配向が医療用ナビゲーションシステム（１８２）を用いて決定可能である医療用参照ユニット（１８０）を含むこと、
又は
ｂ）前記医療用鋸テンプレートシステムが、空間における位置及び配向が医療用ナビゲーションシステム（１８２）を用いて決定可能である医療用参照ユニット（１８０）を含むと共に、前記参照ユニット（１８０）が、前記鋸テンプレート（１４）上に配置又は形成されるか、或いは、前記参照ユニット（１８０）が、前記鋸テンプレート（１４）の前記第１連結要素（１７６）と連結位置において係合させるための第２連結要素（１７８）を含むこと、
を特徴とする医療用鋸テンプレートシステム。